(57)【特許請求の範囲】
【請求項１】
ケーブル（Ｃ）が張架部材（４０，４６）により張架される複数の電柱（Ｐ）のうち、一の電柱（Ｐ）の張架部材（４０，４６）に接するように張架されるケーブル（Ｃ）の両側部（ＣＡ，ＣＡ）の位置によって形成される電線路の角度を測定する電線路角度測定器において、
角度情報が付された目盛線（４）が中心（Ｑ）から半径方向に表示される表示部（３）を有するとともに、張架部材（４０，４６）におけるケーブル（Ｃ）の支持点（Ｒ）と、中心（Ｑ）から半径方向に表示される目盛線（４）の前記中心（Ｑ）とを位置合わせできるように形成される位置合わせ部（５）を有する角度測定部材（２）と、
目盛線（４）に沿って配置されるとともに、ケーブル（Ｃ）の一側部（ＣＡ）または該ケーブル（Ｃ）の引留部材（Ｋ）の軸線（Ｊ）に沿うように、ケーブル（Ｃ）の両側部（ＣＡ，ＣＡ）またはケーブル（Ｃ）の引留部材（Ｋ）にあてがわれる定規部材（３０）とを備え、
ケーブル（Ｃ）または引留部材（Ｋ）に届く先端側に、角度測定部材（２）が軸線（Ｊ）に対して水平方向に取り付けられ、該角度測定部材（２）を基端部から操作して、角度測定部材（２）の目盛線（４）と、ケーブル（Ｃ）または引留部材（Ｋ）とを位置合わせできるように構成される支持部材（Ｔ）をさらに備えたことを特徴とする電線路角度測定器。
【請求項２】
ケーブル（Ｃ）が張架部材（４０，４６）により張架される複数の電柱（Ｐ）のうち、一の電柱（Ｐ）の張架部材（４６）の支持部材（４５）を跨って張架されるケーブル（Ｃ）の両側部（ＣＡ，ＣＡ）、または該ケーブル（Ｃ）の両側部（ＣＡ，ＣＡ）を引き留める張架部材（４６）における一対の引留部材（Ｋ）の位置によって形成される電線路の角度を測定する電線路角度測定器において、
角度情報が付された目盛線（４）が中心（Ｑ）から半径方向に表示される表示部（３）を有するとともに、跨って張架されるケーブル（Ｃ）の両側部（ＣＡ，ＣＡ）から張架部材（４６）の支持部材（４５）に向かって延出される延長軸線が、支持部材（４５）の軸線（Ｊ）と交差する仮想点（Ｒ１）と、中心（Ｑ）から半径方向に表示される目盛線（４）の前記中心（Ｑ）とを位置合わせできるように形成される位置合わせ部（５）を有する角度測定部材（２）と、
目盛線（４）に沿って配置されるとともに、ケーブル（Ｃ）の一側部（ＣＡ）または該ケーブル（Ｃ）の引留部材（Ｋ）の軸線（Ｊ）に沿うように、ケーブル（Ｃ）の両側部（ＣＡ，ＣＡ）またはケーブル（Ｃ）の引留部材（Ｋ）にあてがわれる定規部材（３０）とを備え、
ケーブル（Ｃ）または引留部材（Ｋ）に届く先端側に、角度測定部材（２）が軸線（Ｊ）に対して水平方向に取り付けられ、該角度測定部材（２）を基端部から操作して、角度測定部材（２）の目盛線（４）と、ケーブル（Ｃ）または引留部材（Ｋ）とを位置合わせできるように構成される支持部材（Ｔ）をさらに備えたことを特徴とする電線路角度測定器。
【請求項３】
ケーブル（Ｃ）が張架部材（４０，４６）により張架される複数の電柱（Ｐ）のうち、一の電柱（Ｐ）を跨って張架されるケーブル（Ｃ）の両側部（ＣＡ，ＣＡ）、または該ケーブル（Ｃ）の両側部（ＣＡ，ＣＡ）を引き留める張架部材（４０）における一対の引留部材（Ｋ）の位置によって形成される電線路の角度を測定する電線路角度測定器において、
角度情報が付された目盛線（１３）が中心（Ｑ）から半径方向に表示される表示部（１２）を有するとともに、跨って張架されるケーブル（Ｃ）の両側部（ＣＡ，ＣＡ）から一の電柱（Ｐ）の中心に向かって延出される延長軸線が、一の電柱（Ｐ）の中心と交差する仮想点（Ｒ２）と、中心（Ｑ）から半径方向に表示される目盛線（１３）の前記中心（Ｑ）とを位置合わせできるように形成される凹部（１５）を有する角度測定部材（１１）と、
目盛線（１３）に沿って配置されるとともに、ケーブル（Ｃ）の一側部（ＣＡ）または該ケーブル（Ｃ）の引留部材（Ｋ）の軸線（Ｊ）に沿うように、ケーブル（Ｃ）の一側部（ＣＡ）または該ケーブル（Ｃ）の引留部材（Ｋ）にあてがわれる定規部材（３０）とを備えたことを特徴とする電線路角度測定器。
【請求項４】
前記表示部（３，１２）は、ケーブル（Ｃ）または引留部材（Ｋ）の位置によって形成される電線路の角度の大小に合わせて増減できるように構成されることを特徴とする請求項１乃至３のいずれか１項に記載の電線路角度測定器。
【請求項５】
ケーブル（Ｃ）または引留部材（Ｋ）に届く先端側に、角度測定部材（１１）が軸線（Ｊ）に対して水平方向に取り付けられ、該角度測定部材（１１）を基端部から操作して、角度測定部材（１１）の目盛線（１３）と、ケーブル（Ｃ）または引留部材（Ｋ）とを位置合わせできるように構成される支持部材（Ｔ）を備えたことを特徴とする請求項３または４に記載の電線路角度測定器。
【発明の詳細な説明】
【技術分野】
【０００１】
本発明は、例えば電柱に跨るように張架されたケーブルの両側部の位置によって形成される電線路の角度を測定する場合に使用する電線路角度測定器に関する。
【背景技術】
【０００２】
従来の電線路角度測定器を説明するにあたって、まず、電柱に張架されるケーブルの張架部材（引留部材を含む）および張架方法について図１０〜図１２を参照して説明する。なお、図１０（ａ）〜（ｃ）および図１１（ａ）〜（ｃ）に図示された電柱は、便宜上、所定区間に立設された３本の電柱のうち、中央に立設された電柱のみを図示している。図１２（ａ）〜（ｃ）に図示された電柱は、便宜上、所定区間に立設された３本の電柱を図示している。そして、ケーブルを張架する張架部材としては、例えば、図１０（ａ）〜（ｃ）に示すように、電柱Ｐに装柱される円弧状の帯片からなる一対のバンド部材４１と、該バンド部材４１に取り付けられた、ケーブルＣを支持する支持具４２，４２Ａ，４２Ｂ（引留部材Ｋ）とを有する自在バンド４０が使用されるのが一般的である。しかしながら、ケーブルＣの性能や電柱Ｐの周囲の環境、例えば、側圧に弱い光ファイバケーブルなどや、多条装柱箇所では、図１１（ａ）〜（ｃ）に示すように、前記と同様のバンド部材４１と、該バンド部材４１に基端部が固定される柱状の支持部材４５と、該支持部材４５の先端部に取り付けられたケーブルＣを支持する支持具４２０，４２０Ａ（引留部材Ｋ）とを有する張架部材（以下、槍出金物という）４６が使用される。なお、槍出金物４６を装柱する場合においても、槍出金物４６に変形や折損が生じるような過度な不平衡加重が加わる場合は、槍出金物４６は使用しない。
【０００３】
そして、上述した各支持具４２〜４２Ｂ、４２０，４２０Ａは、複数の電柱Ｐ間に張架されるケーブルＣの電線路角度に応じて適宜選択される。その理由としては、電線路角度が、支持具４２，４２０および電柱Ｐに対する加重と比例関係にあるためである。この電線路角度とは、図１２（ａ）〜（ｃ）に示すように、所定区間の３本の電柱Ｐ１〜Ｐ３（図１２（ａ）〜（ｃ）を正面から見て、左側，中央，右側に立設された電柱Ｐ１，Ｐ２，Ｐ３）間に張架されたケーブルＣにおいて、左側の電柱Ｐ１から中央の電柱Ｐ２に張架されたケーブルＣの直線状部と、中央の電柱Ｐ２から右側の電柱Ｐ３に張架されたケーブルＣの直線状部とのなす角度（０度を含む）θをいう。すなわち、中央の電柱Ｐ２において、左側，右側に位置するケーブルＣの直線状部により形成される電線路角度をいう。この電線路角度θを測定することで、支持具４２〜４２Ｂ、４２０，４２０Ａおよび電柱Ｐに適正な荷重が係っているかを確認することができる。
【０００４】
例えば、図１２（ａ）に示すように、ケーブルＣの各直線状部の電線路角度θが０度であれば、張架されるケーブルＣは略直線状に張架されていることになり、支持具４２、４２０および電柱Ｐに対する加重は比較的低く、また、図１２（ｂ），（ｃ）に示すように、ケーブルＣが曲がって張架されていれば、支持具４２Ａ，４２Ｂ、４２０Ａおよび電柱Ｐに対する加重は電線路角度θに比例して大きくなるため、電線路角度θに応じて支持具４２Ａ，４２Ｂ、４２０Ａを選択する必要がある。
【０００５】
つぎに、電線路角度θに適したケーブルの配線方法および電線路角度θの測定方法について図１０〜図１２を参照して説明する。ここで、小径の吊線Ｃ１と、該吊線Ｃ１に沿って配線される大径のケーブル本体Ｃ２とが被覆部材によって一体化された自己支持型ケーブル（以下、ＳＳケーブルという）Ｃを、略直線状に配置された３本の電柱Ｐに張架する場合を例にとって説明する。まず、ＳＳケーブルＣを直線状に張架する場合は、図１０（ａ）に示すように、中央の電柱Ｐの上部に自在バンド４０を装柱するとともに、該自在バンド４０に径外方向に螺着されたボルトＢに、ＳＳケーブルＣを支持する支持具、例えば直線用吊架金物４２を取り付ける。この場合、図１２（ａ）に示すように、左側，中央，右側の各電柱Ｐの外周面に対して、略接線方向に張架される。
【０００６】
つぎに、ＳＳケーブルＣの張架される向きが少し変更される（少し曲がって張架される）場合は、図１０（ｂ）に示すように、中央の電柱Ｐの上部に自在バンド４０を装柱するとともに、該自在バンド４０に径外方向に螺着されたボルトＢに、ＳＳケーブルＣを支持する支持具、例えば曲り吊架金物４２Ａを取り付ける。この場合、図１２（ｂ）に示すように、ＳＳケーブルＣが、左側の電柱Ｐ１から中央の電柱Ｐ２を経て右側の電柱Ｐ３に少し曲がった状態で張架される。
【０００７】
つぎに、ＳＳケーブルＣの張架される向きが大きく変更される（例えば、略直角に曲げられる）場合は、図１０（ｃ）に示すように、丸シンブル５０および巻付グリップ５１で構成される支持具４２Ｂ（引留部材Ｋ）が使用される。この場合、電柱Ｐの上部に一対の自在バンド４０を装柱し、該自在バンド４０のボルトＢに丸シンブル５０を取り付け、該丸シンブル５０にＵ字形状の巻付グリップ５１の曲線部を引っ掛ける。一方、電柱Ｐの近傍に位置するＳＳケーブルＣにおいて、ケーブル本体Ｃ２の被覆部から吊線Ｃ１の被覆部を引き裂くとともに、吊線Ｃ１を所定長さ露出させて切断する。そして、巻付グリップ５１の両端部に直線状のＳＳケーブルＣの吊線Ｃ１を間に挟み込んで、巻付グリップ５１の両端部を螺旋状に捻り合わせて一本化する。これによって、ＳＳケーブルＣの吊線の直線状部は、巻付グリップ５１によって引き留めされる。この際、引き裂かれたケーブル本体Ｃ２は、中央の電柱Ｐを跨ぐように張架される（電柱Ｐの外側を大きく迂回するように撓まされて）。なお、ＳＳケーブルＣの撓んだ部位はスパイラルスリーブによって保護される（図示せず）。この場合、図１２（ｃ）に示すように、ＳＳケーブルＣの両側部（一対の巻付グリップ５１）ＣＡ，ＣＡが、中央の電柱Ｐ２に対して径外方向に位置するようになる。
【０００８】
つぎに、槍出金物４６を電柱Ｐに装柱して、ＳＳケーブルＣを直線状に張架する場合は、図１１（ａ）に示すように、槍出金物４６の先端部に、ボルトＢを貫設させ、該先端部の下面に、ＳＳケーブルＣの吊線Ｃ１を支持する支持具（吊架部材）４２０を取り付ける。該支持具４２０は、支持部材４５の下面に装着される水平部５５ａ、および該水平部５５ａから垂下された垂下部５５ｂと、垂下部５５ｂの裏面に接離するように、垂下部５５ｂに貫設されたボルトＢと、該ボルトＢに螺着された挟持片５５ｃと、垂下部５５ｂおよび挟持片５５ｃの対向面にそれぞれ形成された凹部５５ｄ，５５ｄとを有する吊架部材５５とで構成される。そして、垂下部５５ｂの凹部５５ｄと挟持片５５ｃの凹部５５ｄとによって、ＳＳケーブルＣの吊線Ｃ１部位の被覆を挟持して、ＳＳケーブルＣを張架する。
【０００９】
つぎに、槍出金物４６を電柱Ｐに装柱して、張架される方向が少し変更されたＳＳケーブルＣの場合は、図１１（ｂ）に示すように、支持部材４５の下面に、湾曲した一対の挟持片を有する支持具（詳細な拡大図は省略する。）を取り付ける。
【００１０】
つぎに、槍出金物４６を電柱Ｐに装柱して、張架される方向が大きく変更されたＳＳケーブルＣの場合は、図１１（ｃ）に示すように、支持部材４５の上面及び下面に、平行して取り付けられる一対の支持板６０，６０と、各支持板６０，６０によって支持される丸シンブル５０と、該丸シンブル５０に巻回される巻付グリップ５１とで構成される支持具４２０Ａ（引留部材Ｋ）が使用される。そして、支持部材４５の上面及び下面に、平行して一対の支持板６０，６０を取り付け、各支持板６０，６０によって支持される丸シンブル５０を介して巻付グリップ５１を取り付ける。一方、電柱Ｐの近傍に位置するＳＳケーブルＣにおいて、ケーブル本体Ｃ２の被覆部から吊線Ｃ１の被覆部を引き裂くとともに、吊線Ｃ１を所定長さ露出させて切断する。そして、引き裂かれたケーブル本体Ｃ２を、中央の電柱Ｐを跨ぐように張架する（電柱Ｐの外側を大きく迂回するように撓ませる）とともに、吊線Ｃ１とケーブル本体Ｃ２とが一体になったＳＳケーブルＣを電柱Ｐの径外方向に配線する。なお、ＳＳケーブルＣの撓んだ部位はスパイラルスリーブによって保護される（図示せず）。
【００１１】
上記のように張架されたケーブルの状態を角度測定する場合は、例えば、電柱に張架されているケーブルを、該電柱の下方から見るための円板状の鏡と、該鏡の中心に基端部が固定され、電柱に対して径外方向に張架されたケーブルの一方の直線状部に位置合わせされる基準となる第１直線指標と、鏡の中心に基端部が回動自在に支持され、同様に張架されたケーブルの他方の直線状部に位置合わせされる第２直線指標と、鏡の中心から第１直線指標よりも短い半径で、第１直線指標の基端部に半円形状に形成され、その周縁部に沿って角度情報が付された目盛線が表示された角度測定部材と、第１直線指標および第２直線指標の軸線の交点から、第２直線指標の軸線に沿って角度測定部材の目盛線に延出される指針とを備えた角度測定器を使用している（特許文献１参照）。
【００１２】
そして、ケーブルが張架されている電柱の下方において、鏡を上側にした状態にして、鏡の中心、すなわち第１および第２直線指標の交点を、張架されたケーブルと電柱との接点に位置合わせする。その後、上方に張架されているケーブルの直線状部に第１直線指標を合わせるとともに、ケーブルの直線状部に第２直線指標を回動させて合わせる。この第２指標の動きに応じて指針が角度測定部の目盛線に位置することになり、角度を測定することができる。
【００１３】
この角度測定器によれば、第１および第２直線指標を、電柱に対して径外方向に延出されるケーブルの両側部に位置合わせし、ケーブルの両側部によって形成される角度を、第１および第２直線指標の交点から各軸線に沿って延長される２つの延長線によって形成される角度に替えて読み取るようにしている。すなわち、ケーブルの両側部によって形成される角度に等しい対頂角を測定することで、電柱間に張架されたケーブルの電線路角度を測定している。
【先行技術文献】
【特許文献】
【００１４】
【特許文献１】特開２０１０−３８６３１号公報
【発明の概要】
【発明が解決しようとする課題】
【００１５】
しかしながら、前記従来の電線路角度測定器は、第１および第２直線指標の交点（鏡の中心）を、張架されたケーブルと電柱との接点に位置合わせするとともに、電柱の上部に張架されたケーブルの両側部（直線状部）を第１および第２直線指標に位置合わせしているので、鏡の持ち方、鏡を見るときの姿勢、ケーブルの両側部（直線状部）に対する各直線指標の合わせ方など、測定する作業者によって変わる要素が多く、これらの要素によって大きな測定誤差を生じる場合があるという問題がある。
【００１６】
そこで、本発明は、上記問題点を鑑み、ケーブルが張架される複数の電柱のうち、一の電柱を跨ぐように張架されて、電柱に対して径外方向に延出されるケーブルの両側部、または該ケーブルの両側部を電柱に対して径外方向に引き留めるための一対の引留部材の位置によって形成される電線路角度を正確に測定できる電線路角度測定器を提供することを目的とする。
【課題を解決するための手段】
【００１７】
前記課題を解決するために、第１発明に係る電線路角度測定器は、ケーブルＣが張架部材４０，４６により張架される複数の電柱Ｐのうち、一の電柱Ｐの張架部材４０，４６に接するように張架されるケーブルＣの両側部ＣＡ，ＣＡの位置によって形成される電線路の角度を測定する電線路角度測定器において、角度情報が付された目盛線４が中心Ｑから半径方向に表示される表示部３を有するとともに、張架部材４０，４６におけるケーブルＣの支持点Ｒと、中心Ｑから半径方向に表示される目盛線４の前記中心Ｑとを位置合わせできるように形成される位置合わせ部５を有する角度測定部材２と、目盛線４に沿って配置されるとともに、ケーブルＣの一側部ＣＡまたは該ケーブルＣの引留部材Ｋの軸線Ｊに沿うように、ケーブルＣの両側部ＣＡ，ＣＡまたはケーブルＣの引留部材Ｋにあてがわれる定規部材３０とを備え、ケーブルＣまたは引留部材Ｋに届く先端側に、角度測定部材２が軸線Ｊに対して水平方向に取り付けられ、該角度測定部材２を基端部から操作して、角度測定部材２の目盛線４と、ケーブルＣまたは引留部材Ｋとを位置合わせできるように構成される支持部材Ｔをさらに備えたことを特徴とする。
【００１８】
この場合、角度測定部材２において、張架部材４０，４６におけるケーブルＣの支持点Ｒと、中心Ｑから半径方向に表示される目盛線４の前記中心Ｑとを位置合わせできるように位置合わせ部５が形成されているので、張架部材４０，４６に支持されているケーブルＣの電線路の角度を測定できる。そして、電線路の角度を測定する際に、目盛線４に沿って配置される定規部材３０を、ケーブルＣの一側部ＣＡにあてがうことにより、該一側部ＣＡを基準として、ケーブルＣの他側部ＣＡの位置を読み取ることができるようになる。すなわち、電線路の角度を精度よく、かつ効率よく測定できる。
【００１９】
第２発明に係る電線路角度測定器は、ケーブルＣが張架部材４０，４６により張架される複数の電柱Ｐのうち、一の電柱Ｐの張架部材４６の支持部材４５を跨って張架されるケーブルＣの両側部ＣＡ，ＣＡ、または該ケーブルＣの両側部ＣＡ，ＣＡを引き留める張架部材４６における一対の引留部材Ｋの位置によって形成される電線路の角度を測定する電線路角度測定器において、角度情報が付された目盛線４が中心Ｑから半径方向に表示される表示部３を有するとともに、跨って張架されるケーブルＣの両側部ＣＡ，ＣＡから張架部材４６の支持部材４５に向かって延出される延長軸線が、支持部材４５の軸線Ｊと交差する仮想点Ｒ１と、中心Ｑから半径方向に表示される目盛線４の前記中心Ｑとを位置合わせできるように形成される位置合わせ部５を有する角度測定部材２と、目盛線４に沿って配置されるとともに、ケーブルＣの一側部ＣＡまたは該ケーブルＣの引留部材Ｋの軸線Ｊに沿うように、ケーブルＣの両側部ＣＡ，ＣＡまたはケーブルＣの引留部材Ｋにあてがわれる定規部材３０とを備え、ケーブルＣまたは引留部材Ｋに届く先端側に、角度測定部材２が軸線Ｊに対して水平方向に取り付けられ、該角度測定部材２を基端部から操作して、角度測定部材２の目盛線４と、ケーブルＣまたは引留部材Ｋとを位置合わせできるように構成される支持部材Ｔをさらに備えたことを特徴とする。
【００２０】
この場合、角度測定部材２において、一の電柱Ｐの張架部材４６の支持部材４５を跨って張架されるケーブルＣの両側部ＣＡ，ＣＡから、張架部材４６の支持部材４５に向かって延出される延長軸線が、支持部材４５の軸線Ｊと交差する仮想点Ｒ１と、中心Ｑから半径方向に表示される目盛線４の前記中心Ｑとを位置合わせできるように位置合わせ部５が形成されているので、支持部材４５を跨って張架されるケーブルＣまたは引留部材Ｋの位置と、目盛線４とを位置合わせすることができるようになり、電線路の角度を測定できる。そして、電線路の角度を測定する際に、目盛線４に沿って配置される定規部材３０を、ケーブルＣの一側部ＣＡまたは該一側部ＣＡの引留部材Ｋにあてがうことにより、ケーブルＣまたは引留部材Ｋを基準として、ケーブルＣの他側部ＣＡまたは該他側部ＣＡの引留部材Ｋの位置を読み取っているので、電線路の角度を精度よく、かつ効率よく測定できる。
【００２１】
本発明に係る電線路角度測定器は、ケーブルＣが張架部材４０，４６により張架される複数の電柱Ｐのうち、一の電柱Ｐを跨って張架されるケーブルＣの両側部ＣＡ，ＣＡ、または該ケーブルＣの両側部ＣＡ，ＣＡを引き留める張架部材４０における一対の引留部材Ｋの位置によって形成される電線路の角度を測定する電線路角度測定器において、角度情報が付された目盛線１３が中心Ｑから半径方向に表示される表示部１２を有するとともに、跨って張架されるケーブルＣの両側部ＣＡ，ＣＡから一の電柱Ｐの中心に向かって延出される延長軸線が、一の電柱Ｐの中心と交差する仮想点Ｒ２と、中心Ｑから半径方向に表示される目盛線１３の前記中心Ｑとを位置合わせできるように形成される凹部１５を有する角度測定部材１１と、目盛線１３に沿って配置されるとともに、ケーブルＣの一側部ＣＡまたは該ケーブルＣの引留部材Ｋの軸線Ｊに沿うように、ケーブルＣの一側部ＣＡまたは該ケーブルＣの引留部材Ｋにあてがわれる定規部材３０とを備えたことを特徴とする。
【００２２】
この場合、角度測定部材１１において、一の電柱Ｐを跨って張架されるケーブルＣの両側部ＣＡ，ＣＡから一の電柱Ｐの中心に向かって延出される延長軸線が、一の電柱Ｐの中心と交差する仮想点Ｒ１と、中心Ｑから半径方向に表示される目盛線１３の前記中心Ｑとを位置合わせできるように凹部１５が形成されているので、一の電柱Ｐを跨って張架されるケーブルＣまたは引留部材Ｋの位置と、目盛線１３とを位置合わせすることができるようになり、一の電柱Ｐを跨って張架されるケーブルＣまたは引留部材Ｋによって形成される電線路の角度を測定できる。そして、電線路の角度を測定する際に、目盛線１３に沿って配置される定規部材３０を、ケーブルＣの一側部ＣＡまたは引留部材Ｋにあてがうようにしているので、電線路の角度を精度よく、かつ効率よく測定できる。
【００２３】
また、本発明によれば、ケーブルＣまたは引留部材Ｋの位置によって形成される電線路の角度の大小に合わせて、表示部３を増減できるように構成するようにしてもよい。
【００２４】
この場合、ケーブルＣまたは引留部材Ｋの位置によって形成される電線路の角度の大小に合わせて、表示部３を増減できるようにしているので、電線路角度測定器の使い勝手がよくなる。
【００２５】
また、本発明によれば、ケーブルＣまたは引留部材Ｋに届く先端側に、角度測定部材２，１１が軸線Ｊに対して水平方向に取り付けられ、該角度測定部材２，１１を基端部から操作して、角度測定部材２，１１の目盛線４，１３と、ケーブルＣまたは引留部材Ｋとを位置合わせできるように構成される支持部材Ｔを備えるような構成を選択することもできる。
【００２６】
この場合、角度測定部材２，１１を支持部材Ｔの基端部を操作することで、先端側に取り付けられた角度測定部材２，１１の目盛線を、ケーブルＣまたは引留部材Ｋに位置合わせできるようになるため、角度測定部材２，１１を遠隔（測定対象となるケーブルＣまたは引留部材Ｋの下方）から操作して電線路の角度を測定できるようになる。
【発明の効果】
【００２９】
以上のように、第１の発明によれば、角度測定部材に形成された位置合わせ部によって、中心から半径方向に表示される目盛線の前記中心と、張架部材におけるケーブルの支持点とを位置合わせするようにしているので、張架部材に接するように張架されたケーブルの両側部の位置を、目盛線に正確に位置合わせすることができる。
【００３０】
また、第２の発明によれば、角度測定部材に形成された位置合わせ部によって、張架部材を跨って張架されるケーブルの両側部から張架部材の支持部材に向かって延出される延長軸線が、支持部材の軸線と交差する仮想点と、中心から半径方向に表示される目盛線の前記中心とを位置合わせするようにしているので、張架部材を跨って張架されるケーブルの両側部、または該ケーブルの引留部材の位置を、目盛線に位置合わせすることができる。
【００３１】
また、第３の発明によれば、角度測定部材に形成された凹部によって、電柱を跨って張架されるケーブルの両側部から電柱の中心に向かって延出される延長軸線が、電柱の中心と交差する仮想点と、中心から半径方向に表示される目盛線の前記中心とを位置合わせするようにしているので、電柱を跨って張架されるケーブルの両側部、またはケーブルの引留部材の位置を、目盛線に位置合わせすることができる。
【図面の簡単な説明】
【００３３】
【図１】本発明の第１実施形態に係る電線路角度測定器を示す平面図。
【図２】角度測定部材に取り付けられる定規部材を示す斜視図。
【図３】図１の電線路角度測定器を、電柱の外周面に対して接線方向に当接させつつ、目盛線とケーブルの両側部とを位置合わせして、電線路の角度を測定している状態を示す平面図。
【図４】図１の電線路角度測定器を、槍出金物（支持部材）の上面に当接させて、電線路の角度を測定している状態を示す平面図。
【図５】（ａ）は、ケーブルまたは引留部材の位置によって形成される電線路の角度に合わせて、角度測定部材の表示部を増設した状態を示す平面図、（ｂ）は、角度測定部材の表示部をさらに増設した状態を示す平面図。
【図６】本発明の第２実施形態に係る電線路角度測定器を示す平面図。
【図７】表示部における目盛線の中心と電柱の中心とを位置合わせして、電線路の角度を測定している状態を示す平面図。
【図８】（ａ）は、定規部材の変形例であって、角度測定部材に対して着脱自在に構成される定規部材を示す側断面図、（ｂ）は、図８（ａ）における定規部材の第３定規部のみを示した平面図。
【図９】角度測定部材をケーブルの下方から遠隔操作して電線路の角度を測定する状態を示した図。
【図１０】電柱に自在バンド（張架部材）を装柱してケーブルを支持する図であって、（ａ）は、ケーブルを直線状に支持する場合の斜視図、（ｂ）は、ケーブルの張架方向を少し変更した場合の斜視図、（ｃ）は、ケーブルの張架方向を大きく変更した場合の斜視図。
【図１１】電柱に槍出金物（張架部材）を実装してケーブルを支持する図であって、ケーブルを直線状に支持する場合の斜視図、（ｂ）は、ケーブルの張架方向を少し変更した場合の斜視図、（ｃ）は、ケーブルの張架方向を大きく変更した場合の斜視図。
【図１２】電線路角度の概略説明図であって、（ａ）は、ケーブルを直線状に支持する場合の平面図、（ｂ）は、ケーブルの張架方向を少し変更した場合の平面図、（ｃ）は、ケーブルの張架方向を大きく変更した場合の平面図。
【発明を実施するための形態】
【００３４】
以下、本発明の実施形態に係る電線路角度測定器について、図１〜図９を参照しつつ説明する。なお、図１，図３，図４，図６，図７においては、各図を平面から見て、上側を後側、下側を前側、左右を左側、右側とする。また、図３，図４および図７は、便宜上、ケーブルＣの両側部ＣＡ，ＣＡまたはケーブルＣの引留部材Ｋを直線状に図示している。ここでいうケーブルＣの両側部ＣＡ，ＣＡとは、支持点Ｒまたは仮想点Ｒ１，Ｒ２を境にして両側に位置する一側部、他側部をいう。また、図４は、図１の電線路角度測定器を、槍出金物（支持部材）の上面に当接させて、電線路の角度を測定している状態を示しており、図１１（ａ）〜（ｃ）を含むように概略的に図示している。
【００３５】
（第１実施形態）
まず、第１実施形態に係る電線路角度測定器について図１〜図４を参照して説明する。この電線路角度測定器１は、図１に示すように、角度情報が付された目盛線４が中心Ｑから半径方向に表示（一部省略）される表示部３と、ケーブルＣが接するように張架された一の電柱（以下、単に電柱という場合もある。）Ｐの外周面に取り付けられた張架部材４０，４６におけるケーブルＣの支持点Ｒ、および中心Ｑから半径方向に表示される目盛線４の前記中心Ｑ（以下、単に目盛線４の中心Ｑという場合もある。）とを位置合わせするための位置合わせ部５と、角度測定部材２の直線状部２ｂに取り付けられた定規部材３０とを有する角度測定部材２とを備えている。なお、中心Ｑは、目盛線４の延長線が交差する点をいう。ここでいう、支持点Ｒは、図１０（ａ），（ｂ）および図１１（ａ），（ｂ）に示すように、張架部材４０，４６によってケーブルＣが支持される仮想の点をいう。
【００３６】
角度測定部材２は、図１に示すように、外形が半円形状を呈しており、円弧状部２ａと、該円弧状部２ａの両端部を結ぶ直線状部２ｂとを有している。また、角度測定部材２は、合成樹脂によって透明に作製されている。そうすることで、角度測定部材２の目盛線４に位置するケーブルＣの両側部ＣＡ，ＣＡの位置を、角度測定部材２の上面から目視できるようにしている。
【００３７】
表示部３は、１０度ごとに半径方向に沿って長い目盛線４ａが表示され、長い目盛線４ａの中間位置に、中程度の長さの目盛線４ｂが表示され、長い目盛線４ａと中間の目盛線４ｂとの間に短い目盛線４ｃが１度ごとに表示されている。そして、０度および１８０度を示す長い目盛線４ａ，４ａが、角度測定部材２の直線状部２ｂに表示されている。０度を示す目盛線４ａが、角度を測定する場合の基準線となり、この基準線４ａにケーブルＣの一側部ＣＡまたは一方の引留部材（図示せず）をあてがうことにより、測定する際の基準位置となる。また、各目盛線４ａ〜４ｃは、その延長線上にある１点で交差するようになっており、この交点を目盛線４の中心Ｑと称している。また、０度を示す目盛線４ａを測定する際の基準線としたが、他の目盛線４ａ〜４ｃであってもよい。要は、定規部材３０が配置される目盛線４ａ〜４ｃが基準線となるのである。
【００３８】
位置合わせ部５は、角度測定部材２の直線状部２ｂの中心部の端面５ａと、該中心部の下面５ｂとで構成されている。そして、端面５ａを、例えば、図１０（ａ），（ｂ）に示す電柱Ｐの外周面に対して接線方向に当接しつつ、下面５ｂを、図１０（ａ），（ｂ）に示す支持具４２，４２Ａの上方に位置させる。あるいは、図１１（ａ），（ｂ）に示す槍出金物４６の支持部材４５の上面に当接させる。そうすることで、電柱Ｐに張架されているケーブルＣの両側部ＣＡ，ＣＡと、角度測定部材２の目盛線４とを位置合わせしやすくなる。すなわち、張架部材４０，４６に接するように張架されているケーブルＣの両側部ＣＡ，ＣＡによって形成される電線路の角度を、角度測定部材２の目盛線４によって測定することができる。また、位置合わせ部５を挟んで線対称に形成される扇形状の透孔６，６は、ケーブルＣの位置を目視しやすくすること、角度測定部材２を把持しやすくすること、角度測定部材２を軽量化することを目的に形成されている。なお、位置合わせ部５の端面５ａは、図３においては電柱Ｐの外周面に当接させているが、下面５ｂの当接のみで、目盛線４の中心ＱとケーブルＣの支持点Ｒとを位置合わせできれば、端面５ａの当接は必須ではない。
【００３９】
角度測定部材２は、０度を示す目盛線４ａに沿って配置され、ケーブルＣの一側部ＣＡまたは該ケーブルＣの引留部材Ｋにあてがわれる定規部材３０を備えている。該定規部材３０は、図３に示すように、角度を測定する際の基準となるケーブルＣの直線状部にあてがわれる一対の第１定規部３１，３１と、該各第１定規部３１，３１に一体化され、角度測定部材２の直線状部２ｂの端面に当接する一対の第２定規部３２，３２と、該各第２定規部３２，３２に一体化され、角度測定部材２の上面に当接される等脚台形状の第３定規部３３とを有している。
【００４０】
第１定規部３１，３１は、断面がＶ字形状を呈しており、中央部が略直角に折り曲げられた一対の折曲片３１ａ，３１ａがケーブルＣの直線状部の外周面に当接する。ケーブルＣの直線状部（一側部ＣＡ）、または引留部材Ｋの直線状部に、２点接触することで、ケーブルＣまたは引留部材Ｋの軸線Ｊが、第１定規部３１，３１の中央部、すなわち折曲部に一致することになる。すなわち、ケーブルＣの直線状部、または引留部材Ｋの直線状部と、角度測定部材２の０度を示す目盛線４ａとの位置合わせを確実に行えるようになる。
【００４１】
第２定規部３２は、基端部が第１定規部３１，３１の折曲部に固着され、対向する内側の側辺部が、上方に向かうにしたがって大きく傾斜する傾斜辺３２ａが形成されている。また、外側の側辺部は直状に形成されている。この理由としては、第２定規部３２が、角度測定部材２の直線状部２ｂの端面（幅小の面積）に当接する場合に、接触面積をできる限り大きくとるためである。
【００４２】
第３定規部３３は、第２定規部３２，３２から水平方向に延出されており、角度測定部材２の上面に対して、有効な接触面積を最小限に確保するように、かつケーブルＣの直線状部、または引留部材Ｋの直線状部と、角度測定部材２の０度を示す目盛線４ａとの位置を目視できるように、等脚台形状に形成されている。
【００４３】
つぎに、張架部材として自在バンド４０が使用されている場合（図１０（ａ），（ｂ）参照）の使用態様について説明する。なお、定規部材３０は、ボルトおよびナット（図示せず）によって、予め角度測定部材２に取り付けられているものとする。具体的には、角度測定部材２の上面に、定規部材３０の第３定規部３３が取り付けられており、定規部材３０の第３定規部３３が、角度測定部材２の上面（０度を示す目盛線４ａの近傍）に当接するとともに、第２定規部３２の上部内面が、角度測定部材２の直線状部２ｂの端面に当接し、一方の第１定規部３１，３１が、角度測定部材２の０度を示す目盛線４ａの下方に位置する。
【００４４】
そして、作業者は、定規部材３０が取り付けられた角度測定部材２を持って、高所作業車のバケットに乗って、電柱Ｐの上部に移動する。そして、角度測定部材２の位置合わせ部５の端面５ａを電柱Ｐの外周面に対峙させつつ、径内方向に移動させて、図４に示すように、角度測定部材２の位置合わせ部５の端面５ａを電柱Ｐの外周面に対して接線方向に当接させる。その後、定規部材３０をケーブルＣにあてがうようにする。具体的に説明すると、定規部材３０の第１定規部３１，３１を、ケーブルＣの一方の直線状部（一側部）ＣＡに当接させ、角度測定部材２の０度を示す目盛線（基準線）４ａに、ケーブルＣの一方の直線状部ＣＡを位置させる。そして、ケーブルＣの他方の直線状部（他側部）ＣＡが位置する、角度測定部材２の目盛線４の数値を読み取る。つまり、ケーブルＣの両側部ＣＡ，ＣＡによって形成される電線路の角度を角度測定部材２の目盛線４によって測定する。なお、
【００４５】
つぎに、張架部材として槍出金物４６が使用されている場合（図１１（ａ）〜（ｃ）参照）の使用態様について説明する。まず、図１１（ａ），（ｂ）に示すように、槍出金物４６の支持部材４５の下面に接するように張架されているケーブルＣの支持点Ｒ１を、支持部材４５の上面に仮想する。一方、角度測定部材２の位置合わせ部５の端面５ａを電柱Ｐの外周面に当接させつつ、位置合わせ部５の下面５ｂを支持部材４５の上面に当接させて、上述した仮想した支持点Ｒ１と、中心Ｑから半径方向に表示される角度測定部材２の目盛線４の前記中心Ｑとを位置合わせする。そうすることによって、角度測定部材２の目盛線４で、ケーブルＣの両側部ＣＡ，ＣＡの位置を読み取って、電線路角度を測定することができる（図４参照）。
【００４６】
つぎに、図１１（ｃ）に示すように、支持部材４５を跨ってケーブルＣが張架されている場合、該ケーブルＣの両側部ＣＡ，ＣＡから支持部材４５に向かって延出される延長軸線と、支持部材４５の軸線Ｊとが交差する仮想点Ｒ１と、目盛線４の中心Ｑとを位置合わせして、ケーブルＣの両側部ＣＡ，ＣＡ、または一対の引留部材Ｋの位置によって形成される電線路角度を測定する（図４参照）。
【００４７】
このように、前記第１実施形態に係る電線路角度測定器によれば、ケーブルＣの支持点Ｒまたは仮想点Ｒ１と、角度測定部材２の目盛線４の中心Ｑとを位置合わせすることで、角度測定部材２に半径方向に表示されている目盛線４を、電柱Ｐに対して径外方向に位置させることができるため、電柱Ｐに対して径外方向に位置するケーブルＣの両側部ＣＡ，ＣＡ、または一対の引留部材Ｋによる電線路の角度を測定することができる。
【００４８】
なお、前記第１実施形態の場合、０〜１８０度の電線路角度の範囲を測定するようにしたが、０〜２７０度、あるいは０〜３６０度の範囲を測定できるようにしてもよい。例えば、図５（ａ），（ｂ）に示すように、半円形状の角度測定部材２において、直線状部の半径部位に複数の蝶番を取り付けて、１／４に分割され、かつ線対称に形成された一対の円弧状の分割角度測定部材２Ａ，２Ｂを折り畳めるようにしてもよい。この分割角度測定部材２Ａ，２Ｂは、目盛線４が表示された表示部３と、該表示部３の一端部に、径内方向に突出するように形成され、半円形状の角度測定部材２の直線状部２ｂの端面に接離する直線状の第１当接部と、表示部３の他端部に形成され、前後方向の中心線において互いが当接する直線状の第２当接部とを有している。そして、０〜２７０度の範囲を測定する場合は、図５（ａ）に示すように、半円形状の角度測定部材２の直線状部２ｂに取り付けられた蝶番を回動支点にして、一方の分割角度測定部材２Ａを引き出す。また、０〜３６０度の範囲を測定する場合は、図５（ｂ）に示すように、他方の分割角度測定部材２Ｂを引き出す。なお、分割角度測定部材２Ａ，２Ｂは、角度測定部材２に対して凹凸嵌合によって着脱できるようにしてもよい。
【００４９】
（第２実施形態）
つぎに、第２実施形態に係る電線路角度測定器について図６および図７を参照して説明する。この電線路角度測定器１０は、前記第１実施形態と同様に、外形が略半円形状の角度測定部材１１が透明の合成樹脂で作製され、円弧状部１１ａの表示部１２において、角度情報が付された目盛線１３が中心（仮想中心）Ｑから半径方向に表示（一部省略）され、定規部材３０が、角度測定部材１１の直線状部１１ｂに取り付けられている（図６参照）。図１と異なる点は、ケーブルＣが跨って張架された一の電柱Ｐの中心と位置合わせできるように、目盛線１３の中心部に凹部（位置合わせ部）１５が形成されている点と、跨って張架されるケーブルＣの両側部ＣＡ，ＣＡから電柱Ｐの中心に向かって延出される延長軸線が、電柱Ｐの中心と交差する仮想点Ｒ２と、目盛線１３の中心Ｑとを位置合わせするようにした点である。
【００５０】
凹部１５は、電柱Ｐの半径よりも大きくて、角度測定部材１１の半径よりも小さい半径で切除されて、略半円形状を呈している。そして、凹部１５の円弧状部１５ａの中央から等脚台形状の第１突起部１６が径内方向（９０度を示す目盛線１３ａの延長線上）に延出して形成されている。また、凹部１５の両側の端面から直状の第２突起部１７，１７が径内方向に延出して形成されている。第１突起部１６および各第２突起部１７，１７は、電柱Ｐの外周面の近傍（電柱Ｐの直交する左右方向と前後方向の中心線の延長線上）に位置するようになる。すなわち、電柱Ｐに対して、凹部１５の円弧状部１５ａ、および、角度測定部材１１の円弧状部１１ａが順次同心状に位置することになり、角度測定部材１１の直線状部（０度および１８０度を示す目盛線１３ａ，１３ａ）１１ｂ，１１ｂが、電柱Ｐの左右方向の中心線に対して径外方向（該中心線の延長線上）に位置することになる。すなわち、電柱Ｐの中心と角度測定部材１１の中心とが一致するようになり、角度測定部材１１の目盛線１３が、電柱Ｐの径外方向に位置するようになる。つまり、電柱Ｐに対して径外方向に位置するケーブルＣの両側部ＣＡ，ＣＡまたは一対の引留部材Ｋによって形成される角度を、角度測定部材１１の目盛線１３によって測定することができる。
【００５１】
つぎに、ケーブルＣが電柱Ｐを跨るように張架されている図１０（Ｃ）に示す場合の使用態様について説明する。なお、定規部材３０は、前記第１実施形態と同様に、ボルトおよびナット（図示せず）によって、予め角度測定部材１１に取り付けられているものとする。
【００５２】
そして、作業者は、定規部材３０がセットされた角度測定部材１１を持って、高所作業車のバケットに乗って、電柱Ｐの上部に移動する。そして、図６に示すように、角度測定部材１１の凹部１５の内周面が電柱Ｐの外周面に対向するように、電柱Ｐの外周面に対して角度測定部材１１を配置させる。その後、角度測定部材１１を電柱Ｐの中心側（径内方向）に移動させると、電柱Ｐの外周面と角度測定部材１１の円弧状部１１ａが同心状に位置するようになり、角度測定部材１１の目盛線１３が電柱Ｐに対して径外方向に位置するようになる。すなわち、跨って張架されるケーブルＣの両側部ＣＡ，ＣＡから一の電柱Ｐの中心に向かって延出される延長軸線が、一の電柱Ｐの中心と交差する仮想点Ｒ２と、中心Ｑから半径方向に表示される目盛線１３の前記中心Ｑとが位置合わせされている。
【００５３】
そして、定規部材３０の第１定規部３１，３１を、ケーブルＣの一方の直線状部（一側部）ＣＡに当接させる。すなわち、角度測定部材１１の０度を示す目盛線（基準線）１３ａに、ケーブルＣの一方の直線状部（一側部）ＣＡを位置させるとともに、ケーブルＣの他方の直線状部（他側部）ＣＡが位置する、角度測定部材１１の目盛線１３の数値を読み取る。つまり、ケーブルＣの両側部ＣＡ，ＣＡによって形成される電線路の角度を角度測定部材１１の目盛線１３によって測定する。
【００５４】
このように、前記第２実施形態に係る電線路角度測定器１０によれば、電柱Ｐの中心と、角度測定部材１１の目盛線１３の中心Ｑとを位置合わせすることで、角度測定部材１１に半径方向に表示されている目盛線１３を、電柱Ｐに対して径外方向に位置させることができるため、電柱Ｐに対して径外方向に位置するケーブルＣの両側部ＣＡ，ＣＡ、または一対の引留部材Ｋによる電線路の角度を測定することができる。
【００５５】
なお、本発明は、前記第１および第２実施形態に限定されることなく、発明の要旨を逸脱しない限りにおいて、適宜、必要に応じて、設計変更や改良等を行うのは自由であり、また、その構成の組み合わせも自由である。
【００５６】
例えば、前記第１および第２実施形態の場合、定規部材３０の第３定規部３３を、角度測定部材２の上面に、ボルト及びナットによって固定するようにしたが、角度測定部材２，１１に対して定規部材３０を着脱自在になるようにしてもよい。例えば、図８（ａ）に示すように、角度測定部材２，１１の上面に複数の係止体３５を配置するとともに、図８（ａ），（ｂ）に示すように、定規部材３０の第３定規部３３に、係止体３５に応じた係合孔３６を形成する。係止体３５を、第３定規部３３の上面に立設された直状の挿通部３５ａと、該挿通部３５ａの上部に固着された円板状の抜け止め部３５ｂとで構成する。係合孔３６を、抜け止め部３５ｂが挿脱される大きさを有する円形状の挿通孔３６ａと、該挿通孔３６ａに連通するように、挿通孔３６ａの一部から径外方向に延出して形成される挿通部３５ａの移動用の長孔３６ｂとで構成する。そして、定規部材３０を角度測定部材２，１１に装着する場合は、係止体３５の抜け止め部３５ｂを、係合孔３６の挿通孔３６ａに位置させて挿通するとともに、係止体３５の挿通部３５ａを、挿通孔３６ａから長孔３６ｂに移動させて、長孔３６ｂに対して抜け止め部３５ｂが係止した状態になり、定規部材３０が角度測定部材２，１１に装着される。一方、定規部材３０を角度測定部材２，１１から取り外す場合は、挿通部３５ａを長孔３６ｂから挿通孔３６ａに移動させて、挿通孔３６ａに抜け止め部３５ｂを位置させる。そうすることで、長孔３６ｂに対する抜け止め部３５ｂの係止状態が解除されるので、定規部材３０を角度測定部材２，１１から取り外せる。
【００５７】
また、前記第１および第２実施形態の場合、電線路角度測定器１，１０を電柱Ｐの上部に持ち運んで電線路の角度を測定するようにしたが、角度測定部材２，１１を電柱Ｐの下方から遠隔操作して電線路角度を測定するようにしてもよい。例えば、図９に示すように、測定対象となる電柱Ｐに張架されているケーブルＣの下方おいて、電柱Ｐに対する位置合わせを電柱Ｐの下方から行える状態にするとともに、角度測定部材２，１１の目盛線４，１３を電柱Ｐの下方から読み取れる状態にして、角度測定部材２，１１を支持部材（長尺の棒材）Ｔによって下方から支持して、角度測定部材２，１１と電柱Ｐとの中心の位置合わせを行った後、双眼鏡など（図示せず）によって、ケーブルＣの両側部（直線状部）ＣＡ，ＣＡと目盛線４，１３との位置合わせを行い、該ケーブルＣの両側部ＣＡ，ＣＡによる電線路角度を測定するようにしてもよい。
【符号の説明】
【００５８】
１，１０…電線路角度測定器、２，１１…角度測定部材、２ａ，１１ａ…円弧状部、２ｂ，１１ｂ…直線状部、３，１２…表示部、４，１３…目盛線、５…位置合わせ部、５ａ…端面、５ｂ…下面、６…透孔、１５…凹部、１５ａ…円弧状部、１６…第１突起部、１７…第２突起部、３０…定規部材、３１…第１定規部、３１ａ…折曲片、３２…第２定規部、３３…第３定規部、３５…係止体、３５ａ…挿通部、３５ｂ…抜け止め部、３６…係合孔、３６ａ…挿通孔、３６ｂ…長孔、４０…自在バンド、４１…バンド部材、４２，４２Ａ，４２Ｂ…支持具、４２…直線用吊架金物、４５…支持部材、４６…槍出金物、５０…丸シンブル、５１…巻付グリップ、４２０…吊架金物、Ｃ１…吊線、Ｃ２…ケーブル本体、Ｂ…ボルト、Ｃ…ケーブル、ＣＡ…ケーブルＣの一側部および他側部、Ｊ…軸線、Ｋ…引留部材、Ｐ，Ｐ１〜Ｐ３…電柱、Ｑ…目盛線４の中心、Ｒ…支持点、Ｒ１，Ｒ２…仮想点、Ｔ…支持部材、θ…電線路角度
【図１】
0005220065.tif 000002
【図２】
0005220065.tif 000003
【図３】
0005220065.tif 000004
【図４】
0005220065.tif 000005
【図５】
0005220065.tif 000006
【図６】
0005220065.tif 000007
【図７】
0005220065.tif 000008
【図８】
0005220065.tif 000009
【図９】
0005220065.tif 000010
【図１０】
0005220065.tif 000011
【図１１】
0005220065.tif 000012
【図１２】
0005220065.tif 000013